(57)【要約】      （修正有）【課題】非接続時において光が接続方向に沿って出射されることを抑制する光コネクタフェルールを提供する。【解決手段】光コネクタフェルール１０は、前端面１１、後端面１２、上面１３及び下面１４とを有する。光コネクタフェルール１０は、後端面１２に形成されて光ファイバＦ１を挿入可能な挿入穴１５と、光ファイバＦ１と前端面１１とを光学的に接続する第１レンズ２０とを備える。前端面１１は、相手方フェルールを接続させる接続面１１ａと、相手方フェルールの位置決めを行うガイドピン及びガイドピン穴とを含む。接続面１１ａに相手方フェルールの接続面が当接されることによって、光ファイバＦ１は、相手方フェルールの光ファイバと光学的に接続する。相手方フェルールの接続面が当接されていないときには、第１レンズ２０から前端面１１に向かって出射される光Ｌは、前端面１１を透過しない。【選択図】図２
2016061847.tif 000002
【特許請求の範囲】
【請求項１】
第１方向に互いに対向する前端面及び後端面と、前記前端面と前記後端面とを連結するように延び、且つ前記第１方向と交差する第２方向に互いに対向する第１側面及び第２側面と、を備える光コネクタフェルールであって、
前記後端面に形成され、光導波部材を挿入可能な挿入穴と、
前記光導波部材と前記前端面とを光学的に接続する第１レンズと、を備え、
前記前端面には、他の前記光コネクタフェルールを接続させる接続面と、他の前記光コネクタフェルールの位置決めを行う位置決め部と、が設けられており、
前記接続面に他の前記光コネクタフェルールの前記接続面が当接されることによって、前記光導波部材は、他の前記光コネクタフェルールの前記光導波部材と光学的に接続し、
前記接続面に他の前記光コネクタフェルールの前記接続面が当接されていないときには、前記第１レンズから前記前端面に向かって出射される光は、前記前端面を透過しない、
光コネクタフェルール。
【請求項２】
前記接続面に他の前記光コネクタフェルールの前記接続面が当接されていないときには、前記第１レンズから前記前端面に向かって出射される光は、前記接続面で全反射され、
前記接続面に他の前記光コネクタフェルールの前記接続面が当接されているときには、前記光は、前記前端面を透過して、他の前記光コネクタフェルールの前記光導波部材に入射される、
請求項１に記載の光コネクタフェルール。
【請求項３】
前記挿入穴に挿入された前記光導波部材を保持する保持穴と、
前記保持穴によって保持される前記光導波部材の先端の位置を前記第１レンズから離間するように規定し、前記第１レンズとの間で光の入出射を行う入出射部と、を備える、
請求項１又は２に記載の光コネクタフェルール。
【請求項４】
前記接続面に他の前記光コネクタフェルールの前記接続面が当接されていないときに前記接続面を介して前記第１レンズと光学的に接続される第２レンズを備える、
請求項２に記載の光コネクタフェルール。
【請求項５】
前記前端面には、前記接続面に他の前記光コネクタフェルールの前記接続面が当接されているときに他の前記光コネクタフェルールと接触しない非接触部が設けられる、
請求項１〜４のいずれか一項に記載の光コネクタフェルール。
【請求項６】
前記非接触部は、前記前端面から前記後端面に向かって延びる切り欠きである、
請求項５に記載の光コネクタフェルール。
【発明の詳細な説明】
【技術分野】
【０００１】
本発明は、光コネクタフェルールに関するものである。
【背景技術】
【０００２】
特許文献１には、光ファイバ同士の光接続を行う光伝送用光学部品が記載されている。この光伝送用光学部品では、光ファイバが固定されたフェルール同士を突き当てることによって光接続が行われる。このフェルールにはレンズが設けられており、このレンズは、フェルール同士を突き当てるときに接続方向に並べられる。また、レンズを介して接続方向にコリメートビームが出射される。このコリメートビームは、フェルール同士を突き当てているか否かにかかわらず、接続方向に出射される。
【先行技術文献】
【特許文献】
【０００３】
【特許文献１】特開２００８−１５１８４３号公報
【発明の概要】
【発明が解決しようとする課題】
【０００４】
特許文献１に記載されたレンズ付きのフェルールを用いた場合には、フェルール同士を突き当てていないときにもコリメートビームが接続方向に出射される。従って、作業者の目にコリメートビームが入る事態を引き起こす可能性がある。また、コリメートビームはビーム密度が高いので、コリメートビームが作業者の目に入ったときに目を痛めてしまうことが懸念される。
【０００５】
本発明は、このような実情に鑑みてなされたものであり、非接続時において、光が接続方向に出射されることを抑制することができる光コネクタフェルールを提供することを課題とする。
【課題を解決するための手段】
【０００６】
上述した課題を解決するために、本発明の一側面に係る光コネクタフェルールは、第１方向に互いに対向する前端面及び後端面と、前端面と後端面とを連結するように延び、且つ第１方向と交差する第２方向に互いに対向する第１側面及び第２側面と、を備える光コネクタフェルールであって、後端面に形成され、光導波部材を挿入可能な挿入穴と、光導波部材と前端面とを光学的に接続する第１レンズと、を備え、前端面には、他の光コネクタフェルールを接続させる接続面と、他の光コネクタフェルールの位置決めを行う位置決め部と、が設けられており、接続面に他の光コネクタフェルールの接続面が当接されることによって、光導波部材は、他の光コネクタフェルールの光導波部材と光学的に接続し、接続面に他の光コネクタフェルールの接続面が当接されていないときには、第１レンズから前端面に向かって出射される光は、前端面を透過しない。
【発明の効果】
【０００７】
本発明によれば、非接続時において、光が接続方向に出射されることを抑制することができる。
【図面の簡単な説明】
【０００８】
【図１】図１は、第１実施形態に係る光コネクタフェルールを示す斜視図である。
【図２】図２は、非接続時における図１の光コネクタフェルールのII−II線断面図である。
【図３】図３は、接続時における図１の光コネクタフェルールのII−II線断面図である。
【図４】図４は、第２実施形態に係る光コネクタフェルールの断面図であり、図２に対応する図である。
【図５】図５は、非接続時における第３実施形態に係る光コネクタフェルールの断面図であり、図２に対応する図である。
【図６】図６は、接続時における図５の光コネクタフェルールの断面図であり、図３に相当する図である。
【発明を実施するための形態】
【０００９】
［本発明の実施形態の説明］
最初に、本発明の実施形態の内容を列記して説明する。（１）本発明の一側面に係る光コネクタフェルールは、第１方向に互いに対向する前端面及び後端面と、前端面と後端面とを連結するように延び、且つ第１方向と交差する第２方向に互いに対向する第１側面及び第２側面と、を備える光コネクタフェルールであって、後端面に形成され、光導波部材を挿入可能な挿入穴と、光導波部材と前端面とを光学的に接続する第１レンズと、を備え、前端面には、他の光コネクタフェルールを接続させる接続面と、他の光コネクタフェルールの位置決めを行う位置決め部と、が設けられており、接続面に他の光コネクタフェルールの接続面が当接されることによって、光導波部材は、他の光コネクタフェルールの光導波部材と光学的に接続し、接続面に他の光コネクタフェルールの接続面が当接されていないときには、第１レンズから前端面に向かって出射される光は、前端面を透過しない。
【００１０】
本発明の一側面に係る光コネクタフェルールでは、他の光コネクタフェルールの接続面が当接されていないときには、第１レンズからの光は前端面を透過しない。よって、前端面から接続方向に光が出射されない。従って、非接続時に光が接続方向に沿って出射されることを抑制することができ、作業者の目に光が入る事態を回避することができる。
【００１１】
（２）上記の光コネクタフェルールでは、接続面に他の光コネクタフェルールの接続面が当接されていないときには、第１レンズから前端面に向かって出射される光は、接続面で全反射され、  接続面に他の光コネクタフェルールの接続面が当接されているときには、光は、前端面を透過して、他の光コネクタフェルールの光導波部材に入射されてもよい。これにより、接続方向に光を出射させない構成を容易に実現させることができる。
【００１２】
（３）上記の光コネクタフェルールでは、挿入穴に挿入された光導波部材を保持する保持穴と、保持穴によって保持される光導波部材の先端の位置を第１レンズから離間するように規定し、第１レンズとの間で光の入出射を行う入出射部と、を備えてもよい。これにより、光コネクタフェルール間における光の接続損失を少なくすることができる。
【００１３】
（４）上記の光コネクタフェルールでは、接続面に他の光コネクタフェルールの接続面が当接されていないときに接続面を介して第１レンズと光学的に接続される第２レンズを備えてもよい。これにより、他の光コネクタフェルールの接続面が当接されていないときには、第１レンズから出射された光が全反射されて第２レンズに入射される。従って、第２レンズに入射される光の光軸上に光素子を配置することによって、非接続時に当該光素子へ光を入射させることができる。よって、当該光素子を、非接続を検知するモニタとして利用することができ、光コネクタフェルールの用途を拡大させることができる。
【００１４】
（５）上記の光コネクタフェルールでは、前端面には、接続面に他の光コネクタフェルールの接続面が当接されているときに他の光コネクタフェルールと接触しない非接触部が設けられてもよい。これにより、他の光コネクタフェルールに対する当接面積を小さくすることができる。よって、他の光コネクタフェルールとの当接圧力を高めることができるので、接続方向に加えられる荷重が小さくても確実に接続面同士を当接させることができる。
【００１５】
（６）上記の光コネクタフェルールでは、非接触部は、前端面から後端面に向かって延びる切り欠きであってもよい。これにより、非接触部を容易に形成することができる。
【００１６】
［本発明の実施形態の詳細］
本発明の実施形態に係る光コネクタフェルールの具体例を図面を参照しつつ説明する。なお、本発明は、これらの例示に限定されるものではなく、特許請求の範囲によって示され、特許請求の範囲と均等の範囲内での全ての変更が含まれることが意図される。以下の説明では、図面の説明において同一の要素には同一の符号を付し、重複する説明を省略する。
【００１７】
（第１実施形態）
図１は、第１実施形態に係る光コネクタフェルール１０の外観を示す斜視図である。図２は、図１のII−II線断面図である。光コネクタフェルール１０は、透明な樹脂製の部材である。光コネクタフェルール１０を構成する樹脂としては、例えばウルテムやＰＥＩ（ポリエーテルイミド）が挙げられる。また、光コネクタフェルール１０を構成する材料における光の屈折率は１．６０〜１．６５程度である。光コネクタフェルール１０は、複数の光ファイバ（光導波部材）Ｆ１を保持している。光コネクタフェルール１０には、上下に反転させた他の光コネクタフェルール１０を対向させることによって、所定の接続方向（第１方向）Ａ１に沿って他の光コネクタフェルール１０が接続される。以下では、他の光コネクタフェルール１０を相手方フェルールと称する。
【００１８】
光コネクタフェルール１０は、前端面１１と、後端面１２と、上面（第１側面）１３と、下面（第２側面）１４とを有する。前端面１１は相手方フェルールと対向する面であり、後端面１２は前端面１１の反対側の面である。また、以下では、接続方向Ａ１に交差する方向を方向Ａ２とする。なお、本実施形態において、接続方向Ａ１は前後方向、方向Ａ２は上下方向を示しており、接続方向Ａ１及び方向Ａ２に直交する左右方向を方向Ａ３とする。
【００１９】
前端面１１には、相手方フェルールが接続されるときに当接される接続面１１ａと、相手方フェルールの位置決めを行うガイドピン１１ｂ及びガイドピン穴１１ｃとが設けられる。接続面１１ａは、上面１３から下面１４にまで延びており、方向Ａ２に対して傾斜している。ガイドピン１１ｂ及びガイドピン穴１１ｃは、相手方フェルールの位置決めを行う位置決め部として機能する。ガイドピン１１ｂ及びガイドピン穴１１ｃは、上下に並んで配置されている。ガイドピン１１ｂ及びガイドピン穴１１ｃは、方向Ａ３における接続面１１ａの両側に設けられている。各ガイドピン穴１１ｃは、各ガイドピン１１ｂの上方に設けられている。
【００２０】
接続面１１ａは、光ファイバＦ１から出射された光Ｌを全反射させる反射面として機能する。すなわち、相手方フェルールが接続されていないときには、光コネクタフェルール１０の屈折率と空気の屈折率との差によって、接続面１１ａに到達した光Ｌは下方に全反射される。これにより、相手方フェルールの非接続時には、光Ｌが接続面１１ａから接続方向Ａ１に出射されない。
【００２１】
後端面１２には、光ファイバＦ１を後方から挿入可能な挿入穴１５が形成されている。挿入穴１５には、複数の光ファイバＦ１が一括して挿入される。複数の光ファイバＦ１は方向Ａ３に沿って並べられ、並べられた複数の光ファイバＦ１は樹脂によって一体化されている。一体化された光ファイバＦ１は、テープファイバの態様で挿入穴１５に挿入される。挿入穴１５は、後端面１２から前方に延在している。挿入穴１５の奥には、光ファイバＦ１を保持する保持穴１６が設けられている。この保持穴１６には、被覆が除去された光ファイバＦ１である裸ファイバ露出部分が挿入される。
【００２２】
上面１３と下面１４とは方向Ａ２に互いに対向する。上面１３は、前側に位置する第１平面１３ａと、後側に位置する第２平面１３ｂとを含んでいる。第２平面１３ｂの高さは第１平面１３ａの高さよりも高くなっている。また、第１平面１３ａには、前側に位置する第１開口１７と、第１開口１７の後側に位置する第２開口１８と、第２開口１８の更に後側に位置する窓１９とが形成されている。
【００２３】
下面１４は、接続面１１ａの下方に位置する透過面１４ａと、透過面１４ａの後側に位置する第３平面１４ｂと、第３平面１４ｂの更に後側に位置する第４平面１４ｃとを含んでいる。第４平面１４ｃの高さは第３平面１４ｂの高さよりも高くなっている。透過面１４ａには、接続面１１ａによって下方に全反射された光Ｌが透過される。透過面１４ａは、接続面１１ａ及び第１レンズ２０と光学的に接続される。
【００２４】
第１開口１７は、前側に位置する第１面１７ａと、後側に位置する第２面１７ｂとを有する。第１面１７ａには、光ファイバＦ１と前端面１１とを光学的に接続する第１レンズ２０が配置されている。なお、第１レンズ２０は、第２面１７ｂに配置されていてもよい。
【００２５】
第２開口１８には、光ファイバＦ１の裸ファイバ露出部分が延出されている。第２開口１８は、前側に位置する第３面１８ａと、後側に位置する第４面１８ｂとを有する。第４面１８ｂには、上述した保持穴１６が形成されている。第２開口１８は、保持穴１６を介して挿入穴１５と連通している。また、裸ファイバ露出部分の先端は、第３面１８ａに当接される。この第３面１８ａによって、光ファイバＦ１の先端の位置が規定される。第３面１８ａによって規定された光ファイバＦ１の先端位置は、第１レンズ２０から所定距離だけ離間した位置となる。
【００２６】
第３面１８ａでは、第１レンズ２０との間で光Ｌの入出射が行われる。すなわち、第３面１８ａは、第１レンズ２０との間で光Ｌの入出射を行う入出射部として機能する。光ファイバＦ１から出射された光Ｌは、第３面１８ａ及び第２面１７ｂを介して第１レンズ２０に到達する。第１レンズ２０に到達した光Ｌは、第１レンズ２０によってコリメートされる。第１レンズ２０によってコリメートされた光Ｌは接続面１１ａに到達する。
【００２７】
窓１９は、挿入穴１５と連通している。窓１９には接着剤（不図示）が導入される。窓１９は、前側に位置する第５面１９ａと、後側に位置する第６面１９ｂとを有する。第５面１９ａには、複数段（本実施形態では２段）の支持面２１が形成されており、この支持面２１には光ファイバＦ１の被覆部分が支持される。各支持面２１は、方向Ａ２に沿って設けられている。
【００２８】
図３に示されるように、相手方フェルールが接続されるときに、接続面１１ａには、相手方フェルールの接続面１１ａが当接される。また、相手方フェルールが接続されるときに、各ガイドピン１１ｂは相手方フェルールの各ガイドピン穴１１ｃに挿入され、各ガイドピン穴１１ｃには相手方フェルールのガイドピン１１ｂが挿入される。このようなガイドピン穴１１ｃへのガイドピン１１ｂの挿入によって、光コネクタフェルール１０に対する相手方フェルールの位置決めが実現される。
【００２９】
相手方フェルールが接続されているときには、光ファイバＦ１から接続面１１ａに到達した光は接続面１１ａを透過する。すなわち、相手方フェルールの接続面１１ａの当接によって、光コネクタフェルール１０と空気との屈折率差を生じさせる界面がなくなる。これにより、接続面１１ａが反射面として機能しなくなるので、光Ｌは接続面１１ａを透過することとなる。光Ｌが接続面１１ａを透過するときには、第１レンズ２０と透過面１４ａとの光学的な接続は解除される。接続面１１ａを透過した光Ｌは、相手方フェルールの第１レンズ２０によって集光され、相手方フェルールの光ファイバＦ１のコアに入射される。このように、相手方フェルールの接続面１１ａが当接されているときには、光Ｌが前端面１１を透過するので、相手方フェルールの光ファイバＦ１との光学的な接続が実現される。
【００３０】
以上の構成を備える光コネクタフェルール１０によって得られる効果について説明する。光コネクタフェルール１０では、前端に設けられた接続面１１ａに相手方フェルールの接続面１１ａが接続方向Ａ１に当接することによって光接続が実現される。一方、相手方フェルールの接続面１１ａが当接されていないときには、光Ｌが前端面１１を透過しないので、前端面１１から接続方向Ａ１に光が出射されない。従って、非接続時において光が接続方向Ａ１に出射されることを抑制することができ、作業者の目に光が入る事態を回避することができる。
【００３１】
また、相手方フェルールの非接続時には、接続面１１ａによって光Ｌが全反射される。このように接続面１１ａで光Ｌを全反射させることによって、接続方向Ａ１に光を出射させない構成を容易に実現させることができる。
【００３２】
また、第２開口１８には、保持穴１６によって保持される光ファイバＦ１の先端の位置を規定する第３面１８ａが設けられている。この第３面１８ａによって、光ファイバＦ１の先端と第１レンズ２０との離間距離を一定にすることができる。従って、光コネクタフェルール１０と相手方フェルールとにおける光の接続損失を少なくすることができる。
【００３３】
（第２実施形態）
図４は、第２実施形態に係る光コネクタフェルール３０を示す断面図である。第２実施形態では、第１実施形態と重複する説明を省略する。後述する第３実施形態においても重複する説明を省略する。図４に示されるように、光コネクタフェルール３０は、接続面１１ａによって反射された光Ｌの光軸上に第２レンズ３１を備えている。第２レンズ３１は集光レンズである。また、光Ｌの光軸上における光コネクタフェルール３０の外部位置には受発光素子（光素子）３２が設けられている。この受発光素子３２は、光コネクタフェルール３０の外部に位置する基板３３に実装されている。
【００３４】
この光コネクタフェルール３０において、相手方フェルールの非接続時には、第１レンズ２０が接続面１１ａを介して第２レンズ３１と光学的に接続される。すなわち、相手方フェルールの非接続時には、光ファイバＦ１と受発光素子３２とが光学的に接続される。
【００３５】
受発光素子３２としては、例えばフォトダイオード（Photo Diode）等の受光素子を用いることができる。この場合、第２レンズ３１を受発光素子３２と光接続させた状態で基板３３上に光コネクタフェルール３０を搭載すると、光Ｌは第２レンズ３１を介して受発光素子３２に入射される。従って、受発光素子３２への光Ｌの入射によって、相手方フェルールとの非接続を検知することができる。更に、受発光素子３２への光Ｌの入射を検知することによって、光コネクタフェルール３０に異常が生じていないことをモニタすることもできる。
【００３６】
また、受発光素子３２によって受光された光Ｌの強度が所定の閾値以上である場合に、光コネクタフェルール３０に異常が生じていないと判断することも可能である。これにより、相手方フェルールの接続前に、当該相手方フェルールとの間で光パスを開通させることができると判断することも可能となる。
【００３７】
なお、受発光素子３２として、例えばＶＣＳＥＬ（Vertical CavitySurface Emitting Laser）等の発光素子を用いることもできる。この場合、受発光素子３２を、第２レンズ３１、接続面１１ａ及び第１レンズ２０を介して光ファイバＦ１に光結合させることにより、光ファイバＦ１に異常がないことを検知することができる。
【００３８】
以上、光コネクタフェルール３０は、相手方フェルールの接続面１１ａが当接されていないときに、接続面１１ａを介して第１レンズ２０と光学的に接続される第２レンズ３１を備えている。これにより、相手方フェルールの非接続時において、第１レンズ２０から出射された光Ｌは接続面１１ａで全反射されて方向Ａ２に向けられることとなり、方向Ａ２に向けられた光Ｌが第２レンズ３１に入射される。従って、光Ｌの光軸上に受発光素子３２を配置することによって、非接続時に光Ｌを受発光素子３２に入射させることが可能となる。よって、受発光素子３２に相手方フェルールの非接続を検知させることができるので、受発光素子３２を非接続のモニタ用として利用することができ、光コネクタフェルール３０の用途を拡大することができる。
【００３９】
（第３実施形態）
図５は、第３実施形態に係る光コネクタフェルール４０を示す断面図である。図６は、相手方フェルールとの接続時における光コネクタフェルール４０を示す断面図である。図５及び図６に示されるように、前端面１１には、後端面１２に向かって延びる切り欠き４１，４２が設けられている。切り欠き４１，４２は、相手方フェルールの接続時に、相手方フェルールの切り欠き４１，４２と空間を形成する。切り欠き４１，４２は、相手方フェルールに接触しない非接触部として機能する。この切り欠き４１，４２によって、相手方フェルールの接続面１１ａに当接する当接面積が低減される。なお、切り欠き４１は接続面１１ａの上端に設けられており、切り欠き４２は接続面１１ａの下端に設けられている。本実施形態において、切り欠き４１，４２は、側面視で直角三角形状に切り欠かれることによって形成されている。
【００４０】
なお、切り欠き４１，４２の数、形状及び配置位置については、適宜変更可能である。例えば、図５及び図６に示される２つの光Ｌの間に切り欠きが設けられていてもよい。また、切り欠きに代えて、例えば接続面１１ａにおける２つの光Ｌが位置する部分を接続方向Ａ１側に突出させ、この突出させた部分以外の箇所を非接触部としてもよい。
【００４１】
以上、光コネクタフェルール４０は、非接触部として機能する切り欠き４１，４２を備えている。このため、相手方フェルールの接続面１１ａに対する当接面積を小さくすることができる。従って、接続面１１ａにおける当接圧力が高められるので、接続方向Ａ１に荷重が加えられたときに当該荷重を接続面１１ａに集中させることができる。よって、接続方向Ａ１に加えられる荷重が小さくても確実に接続面１１ａ同士を当接させることができる。
【００４２】
また、非接触部を切り欠き４１，４２とする場合には、まず接続面１１ａを平坦な面として形成し、その後、接続面１１ａの一部を後方に切り欠くことによって切り欠き４１，４２を形成する。このように接続面１１ａの一部を切り欠くだけで簡単に切り欠き４１，４２を形成することができる。
【００４３】
更に、接続方向Ａ１に加えられる荷重は、例えば光コネクタフェルール４０を収容するハウジング（不図示）に設けられたバネによって付与される。従って、上記のように非接触部を設ける場合には、接続方向Ａ１に加える荷重を小さくすることができるので、上記のバネを安価に製造することが可能となる。
【００４４】
以上、本発明の実施形態について説明したが本発明は上記実施形態に限定されるものではない。例えば、上述した光コネクタフェルール１０において、ガイドピン１１ｂ及びガイドピン穴１１ｃは、上下に並ぶように配置されていたが、ガイドピン及びガイドピン穴の数や配置位置については適宜変更可能である。例えば、方向Ａ３における一方側に１個のガイドピンを設け他方側に１個のガイドピン穴を設けてもよい。また、光コネクタフェルール１０に一対のガイドピン穴のみを設け、相手方フェルールに一対のガイドピンのみを設けてもよい。
【符号の説明】
【００４５】
１０，３０，４０…光コネクタフェルール、１１…前端面、１１ａ…接続面、１１ｂ…ガイドピン（位置決め部）、１１ｃ…ガイドピン穴（位置決め部）、１２…後端面、１３…上面、１３ａ…第１平面、１３ｂ…第２平面、１４…下面、１４ａ…透過面、１４ｂ…第３平面、１５…挿入穴、１６…保持穴、１７…第１開口、１７ａ…第１面、１７ｂ…第２面、１８…第２開口、１８ａ…第３面（入出射部）、１８ｂ…第４面、１９…窓、１９ａ…第５面、１９ｂ…第６面、２０…第１レンズ、２１…支持面、３１…第２レンズ、３２…受発光素子、３３…基板、Ａ１…接続方向、Ａ２，Ａ３…方向、Ｆ１…光ファイバ（光導波部材）。
【図１】
2016061847.tif 000003
【図２】
2016061847.tif 000004
【図３】
2016061847.tif 000005
【図４】
2016061847.tif 000006
【図５】
2016061847.tif 000007
【図６】
2016061847.tif 000008